(57)【特許請求の範囲】
【請求項１】
上側配線導入孔を有し、被保護体が載置される免震架台と、
前記免震架台に取り付けられる複数の上側スライドガイドと、
前記上側スライドガイドのスライド部の移動方向に対し略垂直方向であって水平面と略平行に移動するようにスライド部が取り付けられる複数の下側スライドガイドと、
下側配線導入孔を有し、前記下側スライドガイドが取り付けられる下面カバーと、
前記上側スライドガイドおよび前記下側スライドガイドのスライド部の移動に応じて伸縮するように取り付けられ、前記免震架台と前記下面カバーとを所定位置にあるように付勢するばねと、
前記免震架台に取り付けられる上側ストッパーと、
前記下面カバーに取り付けられる下側ストッパーと、
を備える免震装置であって、
前記上側ストッパーと前記下側ストッパーとが当接して前記免震架台と前記下面カバーとが所定範囲から逸脱する免震を防止するとともに、前記上側配線導入孔の面積を前記下側配線導入孔の面積よりも小さくし、免震時において前記免震架台側から見て前記上側配線導入孔は前記下側配線導入孔の上側に常時あって貫通した状態を維持し、前記上側配線導入孔と前記下側配線導入孔とに挿通される配線の切断を防止することを特徴とする免震装置。
【発明の詳細な説明】
【０００１】
【発明の属する技術分野】
本発明は、建物の床から伝わる振動を減衰・吸収し、振動に弱い精密な被保護体を保護する免震装置に関する。
【０００２】
【従来の技術】
従来の免震装置の用途としては、コンピュータ・サーバなどの電子機器や、博物館・美術館における皿・壺などの骨董美術品（以下、本明細書中ではこれらを総称して被保護体という）を、地震等の振動から守るために使用されていた。例えば、このような免震装置の従来技術として、特開平１１−１６６５９０号、および、特開平１１−１６６５９１号（発明の名称：展示ケース用低床型免震装置）が開示されている。
【０００３】
これら免震装置に共通する構造は、基礎上の下面板に固定され中央が低く両端が高い少なくとも２本の円弧状のＸレールと、これらＸレールの上方で上面板の下面に固定されたＸレールに対し直交する方向で中央が高く両端が低い少なくとも２本の円弧状のＹレールと、下部はＸレールを挟み上部はＹレールを挟み中央に皿ばねを設けた連結ブロックと、Ｘ，Ｙレールの端部に配置した緩衝器と、上面板の下面に固定された下方に突出した支持脚７を有している免震装置である。
従来技術の展示ケース用低床型免震装置では、円弧状のＸ，Ｙレールを使用したため、免震時に上面板が水平移動するにつれて上面板が上下することとなるが、皿ばねにより上下動を吸収させるようにして、上面板の上下動を抑えるものであった。
【０００４】
【発明が解決しようとする課題】
しかしながら、円弧状レールは、スライド部を円弧状のレールに沿って摺動させるという精密機構であって、加工の困難性からもコストは高いものであった。
また、皿ばねも、通常のばねと比較しても利用頻度が低いことから、これと反比例して価格が高いものであった。このため、従来の展示ケース用低床型免震装置は大変高価なものであった。
【０００５】
また、地震の揺れが速くなるに連れて、従来の展示ケース用低床型免震装置の皿ばねが上下動を吸収しきれず、上面板が浮き上がって上面板上で被保護体が上下動する恐れがあり、地震の揺れが速い場合に縦方向の免震効果が高くない場合があるという欠点があった。
【０００６】
また、被保護体がコンピュータ・サーバの場合、電源線・通信ケーブル等の多数の配線（以下、本明細書中において単に配線という。）が必要となる。現状、配線は増大の一途を辿っているが、免震装置では上側の免震架台は免震により移動するため、配線が損傷しないように工夫する必要もあった。
また、免震装置の外で配線する以外にも、免震装置に配線用の孔を設け、この孔に配線を挿通させて床下配線等を行えるようにしたいという要請もあった。
【０００７】
本発明は上記のような課題を解決するためになされたものであり、その目的は、低コストおよび免震効果の増大をともに実現した免震装置を提供することにある。
また、免震時に配線の破損を確実に防止するとともに床下配線をし易くした免震装置を提供することにある。
【０００８】
【課題を解決するための手段】
上記課題を解決するために、請求項１記載の免震装置は、
上側配線導入孔を有し、被保護体が載置される免震架台と、
前記免震架台に取り付けられる複数の上側スライドガイドと、
前記上側スライドガイドのスライド部の移動方向に対し略垂直方向であって水平面と略平行に移動するようにスライド部が取り付けられる複数の下側スライドガイドと、
下側配線導入孔を有し、前記下側スライドガイドが取り付けられる下面カバーと、
前記上側スライドガイドおよび前記下側スライドガイドのスライド部の移動に応じて伸縮するように取り付けられ、前記免震架台と前記下面カバーとを所定位置にあるように付勢するばねと、
前記免震架台に取り付けられる上側ストッパーと、
前記下面カバーに取り付けられる下側ストッパーと、
を備える免震装置であって、
前記上側ストッパーと前記下側ストッパーとが当接して前記免震架台と前記下面カバーとが所定範囲から逸脱する免震を防止するとともに、前記上側配線導入孔の面積を前記下側配線導入孔の面積よりも小さくし、免震時において前記免震架台側から見て前記上側配線導入孔は前記下側配線導入孔の上側に常時あって貫通した状態を維持し、前記上側配線導入孔と前記下側配線導入孔とに挿通される配線の切断を防止することを特徴とする。
【００１０】
【発明の実施の形態】
本発明の免震装置の実施形態について説明する。図１は本実施形態の内部構造を示す分解斜視図、図２は同じく外観図、図３はスライド装置の説明図、図４は同じく下面カバー内部の内観図、図５は同じく免震架台内部の内観図、図６は同じく正面断面図、図７は同じく側面断面図、図８は同じく免震動作時におけるストッパの役割を説明する説明図である。
【００１１】
本実施形態の免震装置は、図１で示すように、図示しない被保護体が載置されることとなる免震架台１と、免震架台１の下側に取り付けられるスライド装置２と、スライド装置の下側に取り付けられる下面カバー３と、下面カバー３の下側に配置される滑り止めマット４とを備えている。
【００１２】
免震架台１は、角材を井桁状に渡して堅牢な構造体となるように組み合わせたフレーム１ｂに上面カバー１ａが取付固定されて形成される。図１，図２（ａ）で示すように上面カバー１ａには角穴である上側配線導入孔１ｃが設けられている。なお、上側配線導入孔１ｃは、角穴に限定することなく、丸孔・隅丸角穴など各種形状の孔とすることができる。これら形状については適宜選択・設計される。
【００１３】
スライド装置２は、一方向にのみ動く直動型のスライドガイドを２個用いる。本発明で想定する直動型のスライドガイドとは、図３で示す上側スライドガイド２ａを例にとれば、直線状のガイドレール部２ｃに沿ってスライド部２ｂがＸ方向に滑らかに摺動する機械要素であり、一般的に市販されている。この直動型のスライドガイドを２個組み合わせることでＸ−Ｙ方向の移動を実現する。
【００１４】
具体的には、図３で示すように 上側スライドガイド２ａおよび下側スライドガイド２ｄが略鉛直方向であるＸ−Ｙ方向に向くようにし、スライド部２ｂ，２ｅを連結プレート２ｇを介して取り付ける。連結プレート２ｇには、スライド部２ｂ，２ｅに設けられた図示しないねじ孔と一致するように図示しない孔が設けられ、図３で示す矢印イ，ロの方向にねじを螺挿して固定する。さらにスライド部２ｂ，２ｅにばね２ｈ，２ｉを取り付ける。ばね２ｈ，２ｉは伸縮し、ガイドレール部２ｃ，２ｆの略中央で停止するような付勢力を与える。
【００１５】
このようなスライド装置２の下側には、図１で示すように、下面カバー３が配置され、４個のスライド装置２が下面カバー３に取付固定される。下面カバー３にも下側配線導入孔３ａが設けられる。なお、図１において、下側配線導入孔３ａの周りには、図４では図示した下側ストッパーが配置されることとなるが、図１では図面を明瞭にするため図示を省略する。
【００１６】
このように構成することで、下面カバー３に対し免震架台１はＸ−Ｙ方向に移動するようになされる。このように、免震架台１、スライド装置２および下面カバー３からなる免震装置としても良いが、免震装置を床上に直接載置した場合、床上を滑るような事態も想定されるため、滑り止めマット４を介して床上に配置するのが望ましい。また、滑り止めマット４に代えて下面カバー３が床に接触する面を粗面に形成して接触抵抗力を高めるようにしても良い。また、床下配線を実現するために増床用に設計された専用の架台を設けることもできる。これら構成は適宜選択される。なお、免震架台１および下面カバー３へのスライド装置２の取付については後に説明する。
【００１７】
なお、図２（ａ），（ｃ）でも示すように下側配線導入孔３ａと上側配線導入孔１ｃとは中央にあって、免震架台１の上側から見て下側配線導入孔３ａと上側配線導入孔１ｃとは貫通した孔となるように取り付けられる。さらに、この下側配線導入孔３ａの面積は、上側配線導入孔１ｃの面積よりも十分大きくなるようになされる。これは免震架台が移動した場合であっても、下側配線導入孔３ａと上側配線導入孔１ｃとが貫通した状態を維持し、配線があったとしても免震動作により破断しないようにするためである。
【００１８】
続いて、本免震装置のＸ−Ｙ方向移動原理についてさらに説明する。図４で示すように下面カバー３には下側スライドガイド２ｄが固定される、さらに下側配線導入孔３ａの周壁となる下側ストッパー３ｂが固定されている。下側ストッパー３ｂは、図４のＡ−Ａ線断面図でも示すように、枠をＬ字状のアングルで構成し、その内壁面を覆うようにゴム・ウレタン等の緩衝体を配置して構成されている。下側スライドガイド２ｄはスライド部２ｅがＹ方向に移動するようにガイドレール部２ｆが下面カバー３に配置される。
【００１９】
また、図５で示すように免震架台１には上側スライドガイド２ａが固定され、さらに上側配線導入孔１ｃの周壁となる上側ストッパー１ｄが固定されている。上側ストッパー１ｄは、図５のＢ−Ｂ線断面図でも示すように、枠をＬ字状のアングルで構成し、その外壁面を覆うようにゴム・ウレタン等の緩衝体を配置して構成されている。上側スライドガイド２ａはスライド部２ｂがＸ方向に移動するように、ガイドレール部２ｃが免震架台１に配置される。
【００２０】
このような免震架台１、スライド装置２および下面カバー３を組み立てると、図６、図７で示すような構造となる。図６の免震装置の正面の断面で示すように、上側ピン１ｅにばね２ｈを取付、また、図７での側面の断面図で示すよう下側ピン３ｃにばね２ｉを取り付けて構成される。
【００２１】
このように構成すると、Ｘ方向とＹ方向では動作が相違する。Ｘ方向では、図６で示すように、免震架台１およびガイドレール部２ｃが一体となってＸ方向に移動する。しかしながら、ばねｈの伸縮力により免震動作がなされて免震架台１が元の位置に復元しようとする。
同様に、Ｙ方向では、図７で示すように、免震架台１、上側スライドガイド２ａ、連結プレート２ｇおよび下側スライドガイドのスライド部２ｅまでがＹ方向に移動する。しかしながら、ばねｉの伸縮力により免震動作がなされて免震架台１が元の位置に復元しようとする。
しかしながら、Ｘ方向とＹ方向では動作が相違しても、下面カバー３に対し免震架台１は、Ｘ−Ｙ平面の任意の角度（方向）移動することができる。免震架台１の任意の方向に小さい力が加わっても、免震架台１は移動して免震動作を行うこととなる。
【００２２】
このように移動するようになされた免震装置は、上側ストッパー１ｄと下側ストッパー３ｂとにより所定範囲を越えては移動しないようになされている。平時は、ばね１ｈ，１ｉの付勢により、図８（ａ）で示すように、上側配線導入孔１ｃと下側配線導入孔３ａとは中央が略一致するような位置にあるが、振動により免震動作を開始すると免震動作により免震架台が移動して上側ストッパー１ｄと下側ストッパー３ｂとの緩衝体どうしが衝突する。そして、移動が停止するとともに緩衝体により振動を吸収する。このような免震装置とすることで、免震機能を高めている。
【００２３】
また、このように構成することで、免震動作中でも上側配線導入孔１ｃと下側配線導入孔３ａとは常に貫通した状態であるので配線が破断するような事態は防止される。例えば被保護体がサーバ・コンピュータのような場合、配線の破断により故障するような事態は回避される。
【００２４】
【発明の効果】
以上本発明によれば、円弧状レール・皿ばねのような高価な精密機構ではなく直動型のスライドガイドやコイルばねなど比較的安価な部品を用いて構成できるので、免震装置を安価に構成できる。
また、水平なＸ−Ｙ方向にのみ移動して上下方向には移動しない免震装置としたため、地震の揺れが速くなるような場合であっても、免震架台が上下動して免震架台上で被保護体が上下動するような事態は回避され、縦方向の免震効果を高めることができる。
【００２５】
また、被保護体が、コンピュータ・電子機器のような場合、免震装置の上側配線導入孔１ｃおよび下側配線導入孔３ａを通過させて床下配線を行った場合、上側ストッパー１ｄおよび下側ストッパー３ｂにより孔が貫通した状態が確実に維持され、架線が破断するような事態は確実に防止される。
【００２６】
このように本発明によれば、低コストおよび免震効果の増大をともに実現した免震装置を提供することができる。
また、免震時に配線の破損を確実に防止するとともに床下配線をし易くした免震装置を提供することできる。
【図面の簡単な説明】
【図１】本発明の免震装置の実施形態の内部構造を示す分解斜視図である。
【図２】本発明の免震装置の実施形態の外観図である。
【図３】本発明の免震装置のスライド装置の説明図である。
【図４】本発明の実施形態の免震装置の下面カバー内部の内観図である。
【図５】本発明の実施形態の免震装置の免震架台内部の内観図である。
【図６】本発明の実施形態の免震装置の正面断面図である。
【図７】本発明の実施形態の免震装置の側面断面図である。
【図８】本発明の実施形態の免震装置の免震動作時におけるストッパの役割を説明する説明図である。
【符号の説明】
１                              免震架台
１ａ                          上面カバー
１ｂ                          フレーム
１ｃ                          上側配線導入孔
１ｄ                          上側ストッパー
１ｅ                          上側ピン
２                              スライド装置
２ａ                          上側スライドガイド
２ｂ                          スライド部
２ｃ                          ガイドレール部
２ｄ                          下側スライドガイド
２ｅ                          スライド部
２ｆ                          ガイドレール部
２ｇ                          連結プレート
２ｈ                          ばね
２ｉ                          ばね
３                              下面カバー
３ａ                          下側配線導入孔
３ｂ                          下側ストッパー
３ｃ                          下側ピン
４                              滑り止めマット
【図１】
0004357085.tif 000002
【図２】
0004357085.tif 000003
【図３】
0004357085.tif 000004
【図４】
0004357085.tif 000005
【図５】
0004357085.tif 000006
【図６】
0004357085.tif 000007
【図７】
0004357085.tif 000008
【図８】
0004357085.tif 000009